【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
コンピュータ可読媒体上に具体的に格納され、コンピュータに、個別視座（ｉＰＯＶ）の図式表示を符号化するためにユーザインターフェースを使用可能にさせるよう構成されたコンピュータプログラムであって、
少なくとも１つのカテゴリを含む前記図式表示を定義する入力をユーザから受け取るための命令と、
少なくとも１つの知識データベースから前記少なくとも１つのカテゴリの一意の識別子を取り出すための命令と、
前記少なくとも１つのカテゴリの前記図式表示での配置に基づいて、前記少なくとも１つのカテゴリに関する重要度及び関心の関係を得るための命令と、
類似の一意の識別子を備えたデータソースを識別するため、前記少なくとも１つのカテゴリとデータソースとの結合を特定するための命令と、
前記少なくとも１つのカテゴリに関して前記データソースからデータセットを取り出すための命令であって、該データセットが前記重要度及び関心の関係により限定されている、データセットを取り出すための命令と、
類似性分析を前記データセットに適用して、前記少なくとも１つのカテゴリの信頼レベルを特定するための命令と、
前記類似性分析が前記データソースのデータ型と前記少なくとも１つのカテゴリに関する前記関心の関係とに依存した、信頼レベルを特定するための命令と、
前記少なくとも１つのカテゴリに関する前記重要度関係を前記信頼レベルに適用し、前記データセットの項目の関連点数を得るための命令と、
閾値を上回る関連点数を備えた項目に関し、前記関連点数と、信頼レベルと、項目とを、前記ｉＰＯＶのコンテキストで前記ユーザに提示するための命令とを含む、コンピュータプログラム。
【請求項２】
前記図式表示を操作するための命令を更に含み、操作するための該命令が、前記ユーザによる選択のため、ｉＰＯＶの前記一意の識別子に関連した構成要素を備えた複数の階層を得るための命令を含む、請求項１に記載のコンピュータプログラム。
【請求項３】
操作するための前記命令が、前記複数の階層を組み合わせるための命令を含む、請求項２に記載のコンピュータプログラム。
【請求項４】
操作するための前記命令が、前記複数の階層を連結するための命令を含む、請求項２に記載のコンピュータプログラム。
【請求項５】
操作するための前記命令が、前記図式表示における前記ｉＰＯＶの要素の位置決めと、前記図式表示における前記ｉＰＯＶの前記要素間の結合とのうち少なくとも一方を修正して、前記少なくとも１つのカテゴリの前記配置に変化をもたらすための命令を含む、請求項１に記載のコンピュータプログラム。
【請求項６】
提示するための前記命令が、
前記データセットの少なくとも１つのメンバを、関心があるメンバとして指定する入力をユーザから受け取るための命令と、
前記データセットのそれぞれに関して前記ｉＰＯＶの最新図式表示を生成するための命令とを含み、前記最新図式表示が、少なくとも１つの関心のあるメンバを備える前記ｉＰＯＶの要素を差別化する、請求項５に記載のコンピュータプログラム。
【請求項７】
適用するための前記命令が、前記ｉＰＯＶの構造により具現化される一組のカテゴリ定義を表す論理モジュールを実行するための命令を含む、請求項１に記載のコンピュータプログラム。
【請求項８】
提示するための前記命令が、前記論理モジュールの実行に基づいて、前記ｉＰＯＶの最新図式表示を生成するための命令を含み、前記信頼レベルが、前記構成要素ｉＰＯＶに対応した前記最新図式表示の要素に関連付けられており、前記データセットの返された項目それぞれが前記少なくとも１つのカテゴリのメンバとしての適格かどうかを表す、請求項７に記載のコンピュータプログラム。
【請求項９】
提示するための前記命令が、集合論を適用して前記階層の構成要素の集合帰属関係を特定するために前記論理モジュールを実行するための命令を含み、前記論理モジュールが属性の集合に関する事前配置論理を含む、請求項７に記載のコンピュータプログラム。
【請求項１０】
重要度及び関心の関係を得るための前記命令が、前記ユーザが入力する重要度及び関心値を受け取るための命令を含む、請求項１に記載のコンピュータプログラム。
【請求項１１】
重要度及び関心の関係を得るための前記命令が、
前記図式表示における前記ｉＰＯＶの前記少なくとも１つのカテゴリの位置と、前記図式表示における前記ｉＰＯＶの前記少なくとも１つのカテゴリ間の結合の位置決めとのうち少なくとも一方に基づいて、重要度及び関心値を計算するための命令と、
前記ｉＰＯＶの少なくとも１つと前記少なくとも１つのカテゴリとに関して、前記データセットのメンバを含めるための前記信頼レベルの閾値を設定するための命令と、
前記少なくとも１つのカテゴリの配分パターンに基づいて、前記少なくとも１つのカテゴリの重み付け関数を設定するための命令とを含む、請求項１に記載のコンピュータプログラム。
【請求項１２】
結合を特定するための前記命令が、前記階層の構成要素を結合データベースと比較するための命令を含み、前記結合データベースが、その内部のデータ要素と、前記データソースのメタデータとのマッチングの度合いを含んだ、請求項１１に記載のコンピュータプログラム。
【請求項１３】
操作するための前記命令が、前記図式表示における前記ｉＰＯＶの要素の位置決めと、前記図式表示における前記ｉＰＯＶの前記要素間の結合とのうち少なくとも一方を修正して、前記階層の構造に変化をもたらすための命令を含む、請求項１２に記載のコンピュータプログラム。
【請求項１４】
適用するための前記命令が、前記階層の構造により具現化される集合論規則を表す論理モジュールを実行するための命令と、
提示するための前記命令が、前記論理モジュールを実行して、前記ｉＰＯＶの最新図式表示を生成するために前記データセット内のデータ構造をアンパックするための命令を含み、前記信頼レベルが、前記データセットに関連した前記階層の前記構成要素に対応した前記最新図式表示の要素に関連付けられている、請求項１３に記載のコンピュータプログラム。
【請求項１５】
操作するための前記命令が、前記図式表示における前記ｉＰＯＶの要素の位置決めと、前記図式表示における前記ｉＰＯＶの前記要素間の結合とのうち少なくとも一方を修正して、前記階層の構造に変化をもたらすため命令を含む、請求項１１に記載のコンピュータプログラム。
【請求項１６】
適用するための前記命令が、前記階層の構造により具現化される集合論規則を表す論理モジュールを実行するための命令と、
提示するための前記命令が、前記論理モジュールを実行して、前記ｉＰＯＶの最新図式表示を生成するために前記データセット内のデータ構造をアンパックするための命令を含み、前記信頼レベルが、前記データセットに関連した前記階層の前記構成要素に対応した前記最新図式表示の要素に関連付けられている、請求項１３に記載のコンピュータプログラム。
【請求項１７】
結合を特定するための前記命令が、前記少なくとも１つのカテゴリを結合データベースと比較するための命令を含み、前記結合データベースが、その内部のデータ要素と、前記データソースのメタデータとのマッチングの度合いを含んだ、請求項１に記載のコンピュータプログラム。
【請求項１８】
提示するための前記命令が、
前記データセットの少なくとも１つのメンバを、関心があるメンバとして指定する入力をユーザから受け取るための命令と、
前記階層の前記構成要素に関連した前記データセットのそれぞれに関する前記ｉＰＯＶの最新図式表示を生成するための命令とを含み、前記最新図式表示が、前記階層の差別化した構成要素を、当該差別化した構成要素が少なくとも１つの関心のあるメンバを備えることに基づいて、含んだ、請求項１に記載のコンピュータプログラム。
【請求項１９】
内部のデータ集合の記述に用いられる集合論を定義するためのデータ構造を含んだコンピュータ可読媒体であって、
前記データ構造が複数集合内で連結されたデータ要素を含み、前記集合がデータ要素のリストを含み、
更に、前記データ構造が、関連付けられた関連性因子を備えたデータ要素の類似語句の配列と、
前記関連性因子に基づいて、データ要素を集合のメンバとして含めるための判断基準を特定するための処理手順を実行するための生成記述と、
前記生成記述を得るための表明属性であって、前記データ集合が前記データ構造を組み込んだシステムにより定義される際に、前記データ集合に割り当てられる表明属性と、
前記生成記述を得るための提案属性であって、前記データ集合が前記データ構造のユーザにより定義される際に、前記データ集合に割り当てられる提案属性と、
データ要素がある集合のメンバであるための適合度を、前記判断基準を用いて判定する処理手順を実行するための適合度関数とを含み、集合内の前記データ要素が、該適合度関数により特定されるマッチングの度合いにより連結され、該集合のメンバと該マッチングの度合いとの少なくとも一方が前記データ構造の前記ユーザに提示される、コンピュータ可読媒体。
【請求項２０】
前記適合度関数が、
データ要素を集合のメンバとして適格とする特徴を指定する類似性処理手順と、
データ要素を集合のメンバから排除する特徴を指定する差異処理手順とを含む、請求項１９に記載のコンピュータ可読媒体。
【請求項２１】
複数の階層視座を使用可能とするためのシステムであって、
ホストプロセッサと、
前記ホストプロセッサにより制御され、視座を前記システムに入力するためのユーザインターフェースと、
前記ホストプロセッサにより制御される結合発生器であって、前記視座を受け取ると共に前記視座の要素とデータソースのメタデータとの結合を発生するために前記ユーザインターフェースと通信する結合発生器と、
前記結合を発生するに当たって前記結合発生器の作用を受ける結合データベースであって、内部のデータ要素と前記メタデータとのマッチングの度合いを含んだデータ構造を備えた結合データベースと、
前記ホストプロセッサに制御されると共に、前記視座の前記要素との少なくとも事前選択したマッチングの度合いを備えたデータ要素の集合を前記データソース内で特定するために、前記データソースに作用するマッチング・アプリケーションであって、前記ユーザインターフェースが、前記視座に従って前記データ要素と前記データ要素のマッチングの度合いとを表示する、マッチング・アプリケーションとを含む、システム。
【請求項２２】
前記ホストプロセッサにより制御された通信アプリケーションであって、少なくとも１つのネットワークと通信してユーザを前記システムに接続するための通信アプリケーションを含む、請求項２１に記載のシステム。
【請求項２３】
前記ホストプロセッサにより制御された重要度及び関心プロセッサであって、前記視座の特徴に基づいて重要度及び関心の関係を得るために前記ユーザインターフェースと通信した重要度及び関心プロセッサを含み、前記データ要素間の前記マッチングの度合いが該重要度及び関心の関係に関連付けられている、請求項２１に記載に記載のシステム。
【請求項２４】
前記ホストプロセッサに制御されると共に前記階層構造に具現化される集合論規則を表す実行可能論理モジュールを含み、該論理モジュールが前記データ要素の集合のデータ構造をアンパックし、出力するためその結果をフォーマットする、請求項２１に記載のシステム。
【請求項２５】
前記マッチング・アプリケーションが、
少なくとも前記事前選択したマッチングの度合いを備えた前記データ要素の集合を特定する特徴を指定する類似性処理手順と、
前記集合からデータ要素を排除する特徴を指定する差異処理手順とを含む、請求項２４に記載のシステム。
【請求項２６】
コンピュータ可読媒体上に具体的に格納され、コンピュータに、データレコードを探索可能とするよう構成されたコンピュータプログラムであって、
ユーザから入力を受け取るための命令と、
前記入力に一致する構成要素を備えた少なくとも１つの階層を特定するための命令と、
選択した階層を得るため、前記ユーザが操作、選択できるように前記少なくとも１つの階層を前記ユーザに提示するための命令と、
前記階層の構造に基づいて前記選択した階層の構成要素に関する重要度及び関心の関係を得るための命令と、
その内部のデータ要素とデータソースのメタデータとのマッチングの度合いとを含んだデータ構造を備えた結合データベースに結合発生器を適用し、前記選択した階層の要素と該データソースの該メタデータとの結合度データを得るための命令であって、該結合度データが結合されたデータソースを識別する、結合度データを得るための命令と、
一致データを得るために、前記結合度データに基づいて、前記選択した階層の前記構成要素に一致するデータを求めて前記結合されたデータソースを探索するための命令と、
前記重要度及び関心の関係に基づいて前記一致データの信頼レベルを特定するための命令と、
前記一致データ及び前記信頼レベルを、前記選択した階層のコンテキストで前記ユーザに提示するための命令とを含む、コンピュータプログラム。
【請求項２７】
結合度データを得るための前記命令が、前記階層の構造により具現化される集合論規則を表す論理モジュールを実行するための命令を含む、請求項２６に記載のコンピュータプログラム。
【請求項２８】
前記提示するための命令が、前記論理モジュールを実行して、前記選択した階層の最新表示を生成するために前記データセットのデータ構造をアンパックするための命令を含む、請求項２７に記載のコンピュータプログラム。
【請求項２９】
重要度及び関心の関係を得るための前記命令が、前記選択した階層の要素の位置と前記選択した階層の要素間の結合の位置決めとの少なくとも一方に基づいて、重要度及び関心値を計算するための命令を含む、請求項１７に記載のコンピュータプログラム。
【請求項３０】
コンピュータ可読媒体上に具体的に格納され、コンピュータに、類似性エンジンの構成を符号化するためにユーザインターフェースを使用可能とするよう構成されたコンピュータプログラムであって、
データのカテゴリに関連した個別視座（ｉＰＯＶ）を定義する入力をユーザから受け取るための命令と、
前記ｉＰＯＶに基づいて、重要度及び関心値と、方程式を符号化する一致閾値とを得るための命令と、
前記ｉＰＯＶに基づいて前記構成を操作して、前記類似性エンジンの修正済み構成を得るための命令であって、該修正済み構成が前記類似性エンジンによる一致を、前記重要度及び関心値と前記一致閾値と無矛盾のデータソースに限定する、得るための命令と、
前記修正済み構成を用いて、前記カテゴリと前記カテゴリのデータに対して変化する関係を備えたデータセットを得るための命令であって、それぞれの関係が前記類似性エンジンの前記修正済み構成により特定される類似性ベクトルに沿った位置を表す、得るための命令と、
前記カテゴリにおけるデータ項目の帰属関係の信頼レベルを各類似性ベクトルに沿って特定するための命令と、
前記方程式を利用して、前記信頼レベルを前記データ項目の関連性点数に結合するための命令であって、該関連性点数が、前記カテゴリと前記カテゴリの前記データとの少なくとも一方までの該データ項目の類似性距離の尺度となる、結合するための命令と、
前記関連性点数を前記ｉＰＯＶのコンテキストで前記ユーザに提示するための命令とを含む、コンピュータプログラム。
【請求項３１】
提示するための前記命令が、前記カテゴリそれぞれの前記関連性点数を別の図式表示で提示するための命令を含み、前記データ項目が前記関連性点数に基づいて区別され、前記ｉＰＯＶに従って前記データ項目を特徴付ける、請求項３０に記載のコンピュータプログラム。